(57)【特許請求の範囲】
【請求項１】
多数の２次元層を印刷しつつ上下に積層してゆくことで３次元物体を形成する３次元プリンタを用いて、立体的な画像装飾物を製作する方法であって、
３次元プリンタを用いて、上下に隣接する複数の２次元層を同一のモチーフ画像にて印刷積層した同一画像積層部を備えた彫刻可能な彫刻対象材を形成し、
形成された彫刻対象材の同一画像積層部に印刷された画像にしたがって同一画像積層部に彫刻を施すことにより、モチーフ画像の立体的な画像装飾物を得る、
立体的画像装飾物の製作方法。
【請求項２】
請求項１の立体的画像装飾物の製作方法において、
前記彫刻対象材は、相互に異なるモチーフ画像からなり上下方向に隣接して配置された複数の同一画像積層部を備え、
彫刻対象材の各同一画像積層部に印刷された画像にしたがって各同一画像積層部に彫刻を施すことにより、複数の異なるモチーフ画像からなる立体的な画像装飾物を得ること、
を特徴とする立体的画像装飾物の製作方法。
【請求項３】
請求項１の立体的画像装飾物の製作方法において、
前記彫刻対象材は、相互に異なるモチーフ画像からなり上下方向に隣接して配置された複数の同一画像積層部を備え、
同一画像積層部に彫刻を施す際に、彫刻対象材の各同一画像積層部のうち所望の同一画像積層部に至るまで掘り下げ、当該所望の同一画像積層部に彫刻を施すことにより、複数の異なるモチーフ画像のうち所望のモチーフ画像を有する立体的な画像装飾物を得ること、
を特徴とする立体的画像装飾物の製作方法。
【発明の詳細な説明】
【技術分野】
【０００１】
この発明は立体的画像装飾物の製作方法およびこれに用いる彫刻対象材に関し、とくに、単品の立体的画像装飾物を製作する技術に関する。
【背景技術】
【０００２】
単品のレリーフを低コストで自動作成する方法が知られている（たとえば、特許文献１の「要約」、［００２５］参照）。この例によると、レリーフのモチーフとなる画像を構成する各画素の色調データに基づいて算出された階調データにしたがってレリーフの高さを表すＺ座標データを設定し、各画素の二次元位置データに基づいてレリーフの平面位置を表すＸ−Ｙ座標データを設定する。そして、これらをＸＹＺ座標とする三次元形状データに基づいて工具のカッターパスを算出し、算出したカッターパスに基づいて被加工物の表面をＮＣ加工機により研削加工する。そして、ＮＣ加工機上に配設した着色装置を用いて、各画素の色調データにしたがって、位置データに対応するレリーフ上の位置に夫々の色のインクを噴射することで、レリーフ加工された被加工物を、取り込んだ画像の色と同じ色に着色することができる。このようにして、モチーフとそっくりのレリーフを自動的に製作する。
【０００３】
この方法によると、個人が自分の子供が産まれたときの記念としてその子をレリーフに表したプレートを作成したりするような場合、すなわち、単品のレリーフを作成する場合でも職人の手を介在させずに低コストで、しかも、画像入力手段により入力した画像とそっくりのレリーフを自動的に作成することができる（特許文献１の［０００３］、［００２８］参照）。
【０００４】
しかし、この方法では、画像情報を取り込んで工具のカッターパスを算出する装置の開発や、ＮＣ加工機などの高価な設備の導入が必要であるため、装置開発能力や十分な設備を持たない者にとっては、必ずしも低コストで実現可能な方法であるとはいえない。
【０００５】
さらに、この方法では、輝度に基づいてレリーフの凹凸を決定しており、明るい部分を低く，暗い部分を高くするように設定しているため、出っ張ったところに明るい色が施されていた場合にはその部分が凹んでしまい、実際の凹凸とは必ずしも一致しない場合が生ずる（特許文献１の［００２４］参照）。したがって、たとえば、黒髪の人物と白髪の人物とが並んで写っている写真をモチーフにしたような場合、顔に対して頭部が出っ張っている人物と凹んでいる人物とが並んだレリーフとなってしまうため、違和感がある。
【特許文献１】特開平０９-３１１７０７号公報
【発明の開示】
【発明が解決しようとする課題】
【０００６】
この発明は、従来のレリーフの作成方法における上記のような課題を解決し、装置開発能力や十分な設備を持たない者であっても低コストで実現可能であり、かつ、モチーフとなる画像における輝度など画像情報の如何にかかわらず違和感のない単品の立体的画像装飾物を容易に製作することのできる方法を提供することを目的とする。
【課題を解決するための手段】
【０００７】
この発明による立体的画像装飾物の製作方法は、多数の２次元層を印刷しつつ上下に積層してゆくことで３次元物体を形成する３次元プリンタを用いて、立体的な画像装飾物を製作する方法であって、３次元プリンタを用いて、上下に隣接する複数の２次元層を同一のモチーフ画像にて印刷積層した同一画像積層部を備えた彫刻可能な彫刻対象材を形成し、形成された彫刻対象材の同一画像積層部に印刷された画像にしたがって同一画像積層部に彫刻を施すことにより、モチーフ画像の立体的な画像装飾物を得ることを特徴とする。
【０００８】
この発明による彫刻対象材は、多数の２次元層を印刷しつつ上下に積層してゆくことで３次元物体を形成する３次元プリンタを用いて上下に隣接する複数の２次元層を同一のモチーフ画像にて印刷積層した同一画像積層部を備え、当該同一画像積層部に印刷された画像にしたがって同一画像積層部に彫刻を施すことによりモチーフ画像の立体的な画像装飾物を得るために用い、彫刻可能であることを特徴とする。
【０００９】
本発明の特徴は、上記のように広く示すことができるが、その構成や内容は、目的および特徴とともに、図面を考慮に入れた上で、以下の開示によりさらに明らかになるであろう。
【発明の効果】
【００１０】
本願の第１発明による立体的画像装飾物の製作方法は、多数の２次元層を印刷しつつ上下に積層してゆくことで３次元物体を形成する３次元プリンタを用いて、立体的な画像装飾物を製作する方法である。３次元プリンタを用いて、上下に隣接する複数の２次元層を同一のモチーフ画像にて印刷積層した同一画像積層部を備えた彫刻可能な彫刻対象材を形成する。形成された彫刻対象材の同一画像積層部に印刷された画像にしたがって同一画像積層部に彫刻を施すことにより、モチーフ画像の立体的な画像装飾物を得る。
【００１１】
つまり、この方法においては、まず、モチーフ画像（モチーフとなる写真などのカラー画像またはモノクロ画像）を用意し、３次元プリンタを用いて、同一のモチーフ画像をカラーまたはモノクロにて印刷積層した同一画像積層部を備えた彫刻対象材を形成する。つぎに、同一画像積層部に印刷された画像にしたがって、目視により、彫刻対象材の同一画像積層部に彫刻を施す。このような工程を経て、立体的な画像装飾物を得ることができる。
【００１２】
したがって、彫刻は、同一画像積層部に印刷されたモチーフ画像にしたがって目視により行われるので、画像情報を取り込んで工具のカッターパスを算出する装置や、算出されたカッターパスに基づいて加工を行うＮＣ加工機などは必要ない。また、彫刻が、同一画像積層部に直接印刷された画像にしたがって目視で行われることから、輝度に基づいてレリーフの凹凸を決定する従来技術のように、立体加工後のレリーフの凹凸が実際の凹凸と逆転してしまうというような事態は生じない。
【００１３】
また、同一画像積層部においては、いわば金太郎飴のようにモチーフ画像が上下方向に連続して形成されているから、同一画像積層部を下方に彫り込んで行っても常にモチーフ画像が表示されている。このため、容易にモチーフ画像どおりに彫刻をほどこすことができ、彫刻対象材の表面にのみモチーフ画像を印刷する場合にくらべ、熟練した職人はとくに必要ない。さらに、彫刻を施してもモチーフ画像が消えることはないから、彫刻後にあらためてモチーフ画像を印刷する必要がない。
【００１４】
すなわち、装置開発能力や十分な設備を持たない者であっても低コストで実現可能であり、かつ、モチーフとなる画像における輝度など画像情報の如何にかかわらず違和感のない単品の立体的画像装飾物を容易に製作することができる。
【００１５】
また、彫刻が、同一画像積層部に直接印刷された画像にしたがって目視にて行われることから、加工者は、印刷された画像を見ながら自己の感性にしたがって自由に凹凸を形成することができる。したがって、加工者独自のタッチを生かした芸術性の高い立体的画像装飾物を製作することが可能となる。
【００１６】
さらに、彫刻が、同一画像積層部に直接印刷された画像にしたがって目視にて行われることから、彫刻工程のみを立体的画像装飾物の製作依頼者（ユーザ）に委ねることも可能となる。この場合ユーザは、たとえば版画制作を楽しむように、彫刻を楽しむことができる。
【００１７】
本願の第２発明による立体的画像装飾物の製作方法においては、彫刻対象材は、相互に異なるモチーフ画像からなり上下方向に隣接して配置された複数の同一画像積層部を備えている。彫刻対象材の各同一画像積層部に印刷された画像にしたがって各同一画像積層部に彫刻を施すことにより、複数の異なるモチーフ画像からなる立体的な画像装飾物を得る。
【００１８】
したがって、たとえば、人物のモチーフ画像からなる同一画像積層部と、風景のモチーフ画像からなる同一画像積層部と、を上下方向に隣接して配置した彫刻対象材を形成し、各同一画像積層部に彫刻をほどこすことで、任意の人物と任意の背景（または前景）とを組み合わせた立体的な画像装飾物を得ることができる。
【００１９】
本願の第３発明による立体的画像装飾物の製作方法においては、彫刻対象材は、相互に異なるモチーフ画像からなり上下方向に隣接して配置された複数の同一画像積層部を備えている。同一画像積層部に彫刻を施す際に、彫刻対象材の各同一画像積層部のうち所望の同一画像積層部に至るまで掘り下げ、当該所望の同一画像積層部に彫刻を施すことにより、複数の異なるモチーフ画像のうち所望のモチーフ画像を有する立体的な画像装飾物を得る。
【００２０】
したがって、たとえば、人物のモチーフ画像からなる同一画像積層部と、第１の風景のモチーフ画像からなる同一画像積層部と、第２の風景のモチーフ画像からなる同一画像積層部とを上下方向に隣接して配置した彫刻対象材を形成し、人物については人物のモチーフ画像からなる同一画像積層部において彫刻を施し、風景については加工者の好み等に応じ、第１の風景のモチーフ画像からなる同一画像積層部と、第２の風景のモチーフ画像からなる同一画像積層部のうち所望の風景からなる同一画像積層部に至るまで掘り下げ、当該所望の同一画像積層部に彫刻を施すことにより、人物と所望の背景（または前景）とを有する立体的な画像装飾物を得ることができる。
【００２１】
本願の第４発明による彫刻対象材は、彫刻可能な彫刻対象材であって、多数の２次元層を印刷しつつ上下に積層してゆくことで３次元物体を形成する３次元プリンタを用いて、上下に隣接する複数の２次元層を同一のモチーフ画像にて印刷積層した同一画像積層部を備えている。この彫刻対象材は、当該同一画像積層部に印刷された画像にしたがって同一画像積層部に彫刻を施すことによりモチーフ画像の立体的な画像装飾物を得るために用いられる。
【００２２】
すなわち、モチーフ画像に基づいて、石膏やゴムなどの彫刻可能な素材を用いて、３次元プリンタにより２次元層をカラーまたはモノクロにて印刷積層して行くことで、彫刻可能な同一画像積層部を有する彫刻対象材を得ることができる。この彫刻対象材の同一画像積層部に印刷された画像にしたがって同一画像積層部に彫刻を施すことによりモチーフ画像の立体的な画像装飾物を容易に得ることができる。
【発明を実施するための最良の形態】
【００２３】
図１は、この発明の一実施形態による立体的画像装飾物の製作に用いる彫刻対象材１の構成を示す斜視図である。図２Ａは彫刻対象材１の最上部に形成される同一画像積層部である最上部画像積層部２を構成するモチーフ画像６を示す平面図、図２Ｂは彫刻対象材１の中間部に形成される同一画像積層部である中間部画像積層部３を構成するモチーフ画像７を示す平面図、図２Ｃは彫刻対象材１の最下部に形成される同一画像積層部である最下部画像積層部４を構成するモチーフ画像８を示す平面図である。
【００２４】
図３Ａは最上部画像積層部２に彫刻を施した状態を示す彫刻対象材１の平面図、図３ＢはそのＩＩＩＢ−ＩＩＩＢ線切断部端面図である。図４Ａは最上部画像積層部２および中間部画像積層部３に彫刻を施した状態を示す彫刻対象材１の平面図、図４ＢはそのＩＶＢ−ＩＶＢ線切断部端面図である。図５Ａは最上部画像積層部２および最下部画像積層部４に彫刻を施した状態を示す彫刻対象材１の平面図、図５ＢはそのＶＢ−ＶＢ線切断部端面図である。図６Ａは最上部画像積層部２、中間部画像積層部３および最下部画像積層部４に彫刻を施した状態を示す彫刻対象材１の平面図、図６ＢはそのＶＩＢ−ＶＩＢ線切断部端面図である。
【００２５】
まず、この発明による立体的画像装飾物の製作に用いる、カラーまたはモノクロ印刷可能な３次元プリンタ（図示せず）について説明する。このような３次元プリンタとして、たとえば、米国Ｚ社（Z CORPORATION）のZPrinter450やSpectrumZ510がある。
【００２６】
このような３次元プリンタは、本来、カラー情報を有する３次元データに基づいて、着色された立体モデル（リアルモデル）を自動作製するラピッド・プロトタイピング(RP)の一手段として開発されたものであり、種々の素材の立体モデルを作製することができる。すなわち、３次元位置情報と３次元カラー情報とを持った３次元データを輪切り状の多数の２次元データに分解し、各２次元データに基づいて２次元層を印刷しつつ積層して行くことで、立体モデル（３次元モデル）を作製するのである。
【００２７】
素材として石膏の微粉末を用いる場合においても種々の手法があるが、たとえば次のようにして立体モデルを作製する。
【００２８】
まず、石膏の微粉末を散布して平面を作り、その上に、最下部の２次元データにもとづいて、たとえば３原色に着色されたバインダ液をカラーインクジェットプリンタにて印刷するように噴射する。これにより、バインダ液により着色された石膏の微粉末の層（２次元層）が一つ作製される。すなわち、当該２次元データに対応する２次元形状・色彩の２次元層が一つ作製される。
【００２９】
つぎに、この上に、石膏の微粉末を薄く散布して平面を作り、その上に、次の２次元データにもとづいて、バインダ液を噴射することで次の２次元層が作製される。隣接する２次元層どうしはバインダ液により結合される。これを最上部の２次元層まで繰り返し、最後に、バインダ液で結合されていない部分の石膏の微粉末をブロワー等により除去することで、着色された立体モデルが得られる。
【００３０】
このように、３次元プリンタは、本来、３次元データに基づいて、立体モデルを自動作製するために用いられるのであるが、立体の３次元データを構築するためには、専門的な知識と装置が必要となる。また、たとえば２次元データに過ぎない人物写真等のモチーフ画像から被写体の正確な３次元データを再現することは不可能である。その一方で、レリーフ等の立体的な画像装飾物においては、被写体の正確な３次元データは必ずしも必要ではない。
【００３１】
本願発明は、このような点に着目してなされたものであり、本願発明によれば、３次元データを構築することなしに、２次元データであるモチーフ画像から、３次元プリンタを利用して、その立体的な画像装飾物を得ることができる。
【００３２】
図１〜図６Ｂに基づいて、この発明の一実施形態による立体的画像装飾物１０，２０，３０および４０の製作手順を説明する。
【００３３】
まず、立体的画像装飾物のモチーフとなるモチーフ画像を用意する。この例では、最上部画像積層部２を構成するモチーフ画像６（図２Ａ参照）、中間部画像積層部３を構成するモチーフ画像７（図２Ｂ参照）、最下部画像積層部４を構成するモチーフ画像８（図２Ｃ参照）を用意する。
【００３４】
モチーフ画像は、立体的画像装飾物の製作者が用意してもよいが、一般的には、立体的画像装飾物の製作依頼者（ユーザ）が用意し、これを立体的画像装飾物の製作者に直接手渡したり、郵送したり、あるいはインターネットなどの情報通信網を介して画像データを送りつけたりする。なお、モチーフとなる画像としては写真が一般的であるが、これに限定されるものではない。モチーフとなる画像としては、写真以外に、たとえば、絵画やイラストが例示できる。
【００３５】
つぎに、用意された３枚のモチーフ画像に基づいて、上述の３次元プリンタを用いて、図１に示す彫刻対象材１を形成する。
【００３６】
３次元プリンタを用いて、彫刻対象材１を形成するには、まず、最上部画像積層部２を構成するモチーフ画像６、中間部画像積層部３を構成するモチーフ画像７、最下部画像積層部４を構成するモチーフ画像８を３次元プリンタに入力する。
【００３７】
そして、３次元プリンタにより、モチーフ画像８を現した２次元層を連続して複数層出力することで最下部画像積層部４を形成する。２次元層ひとつの厚さが０．１mmと仮定すれば、たとえば５mmの厚さの最下部画像積層部４を得るには、２次元層を連続して５０層出力すればよい。
【００３８】
つづいて、最下部画像積層部４の上にモチーフ画像７を現した２次元層を連続して複数層出力することで中間部画像積層部３を形成し、最後に、中間部画像積層部３の上にモチーフ画像６を現した２次元層を連続して複数層出力することで最上部画像積層部２を形成する。
【００３９】
このように、最下部画像積層部４、中間部画像積層部３、最上部画像積層部２の順に、図１に示すＺ１方向に積層してゆくことで、彫刻対象材１を形成することができる。
【００４０】
もちろん、１つの彫刻対象材を構成する同一画像積層部の数は限定されるものではない。この実施形態のように同一画像積層部の数が、最下部画像積層部４、中間部画像積層部３、最上部画像積層部２の３個であってもよいし、それ以上でも以下でもよい。
【００４１】
また、彫刻対象材は、その構成要素として、同一画像積層部以外の要素を備えていてもよい。たとえば、彫刻対象材が、同一画像積層部の下部に配置された台部を備えたものであってもよい。
【００４２】
なお、上述の３次元プリンタの本来の使用法の場合と異なり、この実施形態の場合、モチーフ画像（２次元データ）の内容の如何にかかわらず、全ての２次元層の外形（図１に示すＸＹ平面への投影形状の外縁）が一定（この例では矩形）となるよう構成されている。したがって、この例においては、彫刻対象材１は直方体となっている。もちろん、彫刻対象材１の形状は直方体に限定されるものではなく、たとえば円柱や六角柱のようなものであってもよい。
【００４３】
さらに、２次元層の外形（図１に示すＸＹ平面への投影形状の外縁）が、モチーフ画像（２次元データ）の内容の如何にかかわらず、順次規則的に変化して行くよう構成することもできる。この場合、彫刻対象材１を、たとえばピラミッドのような四角錐、円錐、半球形のような形状とすることができる。
【００４４】
彫刻対象材１の素材は、彫刻可能なものであればとくに限定されるものではなく、たとえば、石膏を主成分とするものやゴムやエラストマーを主成分とするものを用いることができる。
【００４５】
最下部画像積層部４、中間部画像積層部３、最上部画像積層部２などの同一画像積層部の厚さは、とくに限定されるものではないが、彫刻による彫り込み深さの誤差を考慮すれば、それぞれ１mm程度以上であることが好ましい。
【００４６】
また、中間部画像積層部３の厚さは、厚すぎると不都合が生ずる場合がある。すなわち、最下部画像積層部４と中間部画像積層部３とを選択的に彫刻する場合であって、最下部画像積層部４を選択した場合には、中間部画像積層部３を掘り下げた断面が露出するため、中間部画像積層部３の厚さが厚すぎると美観上好ましくないからである。したがって、中間部画像積層部３の厚さは１mm〜５mm程度が好ましく、より好ましくは１mm〜３mm程度である。
【００４７】
つぎに、このようにして形成された彫刻対象材１に、目視により、彫刻を施す。彫刻は、まず、図１に示す彫刻対象材１の最上部画像積層部２に印刷されたモチーフ画像６を見ながら、たとえば彫刻刀を用いて最上部画像積層部２をＺ２方向に掘り下げることにより行う。
【００４８】
図３Ａおよび図３Ｂに示すように、最上部画像積層部２をある程度掘り下げた状態においても、金太郎飴のようにモチーフ画像６が常に表示されているため、目視により正確にモチーフ画像６どおりに加工することができる。
【００４９】
この時点で彫刻作業を終了すれば、最上部画像積層部２の人物のモチーフ画像６のみが表示された立体的画像装飾物１０が得られる。このように単一のモチーフ画像のみが表示されるような立体的画像装飾物を得るためには、彫刻対象材１のように複数の同一画像積層部（最上部画像積層部２、中間部画像積層部３および最下部画像積層部４）は必ずしも必要ではなく、単一の同一画像積層部（この場合には最上部画像積層部２に対応する同一画像積層部）のみからなる彫刻対象材を用いてもよい。
【００５０】
つぎに、図３Ｂに示す状態から、最上部画像積層部２の一部をＺ２方向にさらに掘り下げることにより、図４Ｂに示すように、中間部画像積層部３を露出させる。
【００５１】
この時点で彫刻作業を終了すれば、図４Ａに示すように、たとえば最上部画像積層部２の人物のモチーフ画像６と、中間部画像積層部３の第１の風景のモチーフ画像（山の画像）７とがともに露出した立体的画像装飾物２０が得られる。上述の、立体的画像装飾物１０の場合と同様に、２つのモチーフ画像が表示されるような立体的画像装飾物を得るためには、彫刻対象材１のように３つの同一画像積層部（最上部画像積層部２、中間部画像積層部３および最下部画像積層部４）は必ずしも必要ではなく、２つの同一画像積層部（この場合には最上部画像積層部２に対応する同一画像積層部、および中間部画像積層部３に対応する同一画像積層部）からなる彫刻対象材を用いてもよい。
【００５２】
つぎに、図４Ｂに示す状態から、露出している中間部画像積層部３をＺ２方向にさらに掘り下げることにより、図５Ｂに示すように、最下部画像積層部４を露出させる。
【００５３】
このようにして、図５Ａに示すように、たとえば最上部画像積層部２の人物のモチーフ画像６と、最下部画像積層部４の第２の風景のモチーフ画像（花の画像）８とがともに露出した立体的画像装飾物３０が得られる。
【００５４】
一方、図４Ｂに示す状態から、露出している中間部画像積層部３の一部をＺ２方向にさらに掘り下げることにより、図６Ｂに示すように、部分的に中間部画像積層部３を残し、部分的に最下部画像積層部４を露出させることもできる。
【００５５】
このようにすれば、図６Ａに示すように、たとえば最上部画像積層部２の人物のモチーフ画像６と、中間部画像積層部３の第１の風景のモチーフ画像（山の画像）７と、最下部画像積層部４の第２の風景のモチーフ画像（花の画像）８とが部分的にそれぞれ露出した立体的画像装飾物４０が得られる。
【００５６】
このように、ひとつの彫刻対象材１に対して施す彫刻のＺ方向の深さおよびＸＹ方向の位置を選択することで、図３Ａに示す立体的画像装飾物１０、図４Ａに示す立体的画像装飾物２０、図５Ａに示す立体的画像装飾物３０、図６Ａに示す立体的画像装飾物４０のいずれかを選択的に得ることができる。
【００５７】
また、この実施形態による立体的画像装飾物においては、同一画像積層部内において彫刻を施しても当該同一画像積層部に印刷積層されたモチーフ画像が消えることはないから、彫刻により露出した部分にあらためてモチーフ画像を印刷する必要がない。なお、立体的画像装飾物の露出している部分に、必要に応じて、コーティング処理を施してもよい。
【００５８】
完成した立体的画像装飾物は、郵便などの手段を用いてユーザに送られる。なお、彫刻工程は、上述のように立体的画像装飾物の製作者が行うようにしてもよいが、ユーザが行うようにしてもよい。ユーザが彫刻を行う場合には、図１に示す彫刻対象材１が郵便などの手段を用いてユーザに送られる。
【００５９】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【図面の簡単な説明】
【００６０】
【図１】この発明の一実施形態による立体的画像装飾物の製作に用いる彫刻対象材１の構成を示す斜視図である。
【図２】図２Ａはモチーフ画像６を示す平面図、図２Ｂはモチーフ画像７を示す平面図、図２Ｃはモチーフ画像８を示す平面図である。
【図３】図３Ａは最上部画像積層部２に彫刻を施した状態を示す彫刻対象材１の平面図、図３ＢはそのＩＩＩＢ−ＩＩＩＢ線切断部端面図である。
【図４】図４Ａは最上部画像積層部２および中間部画像積層部３に彫刻を施した状態を示す彫刻対象材１の平面図、図４ＢはそのＩＶＢ−ＩＶＢ線切断部端面図である。
【図５】図５Ａは最上部画像積層部２および最下部画像積層部４に彫刻を施した状態を示す彫刻対象材１の平面図、図５ＢはそのＶＢ−ＶＢ線切断部端面図である。
【図６】図６Ａは最上部画像積層部２、中間部画像積層部３および最下部画像積層部４に彫刻を施した状態を示す彫刻対象材１の平面図、図６ＢはそのＶＩＢ−ＶＩＢ線切断部端面図である。
【符号の説明】
【００６１】
１：彫刻対象材
２：最上部画像積層部
３：中間部画像積層部
４：最下部画像積層部
６：モチーフ画像
７：モチーフ画像
８：モチーフ画像
１０：立体的画像装飾物
特許出願人  安達  正宏
出願人代理人  弁理士  田川  幸一
【図１】
0005430836.tif 000002
【図２】
0005430836.tif 000003
【図３】
0005430836.tif 000004
【図４】
0005430836.tif 000005
【図５】
0005430836.tif 000006
【図６】
0005430836.tif 000007